(57)【要約】【課題】２次側端子が電線結線される場合に欠相検出リード線を加工したり、電線と二重締め付けすることなく接続することができる単３中性線欠相保護付き遮断器を提供する。【解決手段】単３中性線欠相保護付き遮断器１は、中性極の２次側端子７の端子板９の先端を遮断器ケース２の端面に沿って下方向に延設し、端部にねじ孔１２を穿設してねじ１３を螺合し、欠相検出リード線１１を接続するための接続端子１４を形成している。２次側端子６，７，８が電線結線される場合は接続端子１４に欠相検出リード線１１をねじ１３によって螺着する。【選択図】　　　　図１
2004071197.tif 000002
【特許請求の範囲】
【請求項１】
単相３線式電路の中性線欠相を検出して主回路を遮断する単３中性線欠相保護付き遮断器において、中性極の２次側端子の端子板の先端を遮断器ケースの端面に沿って下方向に延設し、欠相検出リード線を接続するための接続端子を設けたことを特徴とする単３中性線欠相保護付き遮断器。
【請求項２】
前記接続端子が前記遮断器ケースの端面から凹ませて形成したことを特徴とする請求項１に記載の単３中性線欠相保護付き遮断器。
【請求項３】
前記接続端子の表面を前記遮断器ケースと一体に形成したカバーで被覆し、該カバーを薄肉部によって前記遮断器ケースから切り離し可能にしたことを特徴とする請求項２に記載の単３中性線欠相保護付き遮断器。
【発明の詳細な説明】
【０００１】
【発明の属する技術分野】
本発明は、単相３線式電路の中性線欠相を検出して主回路を遮断する単３中性線欠相保護付き遮断器に関する。
【０００２】
【従来の技術】
従来の単３中性線欠相保護付き遮断器は２次側の電線結線が多かったため、欠相検出リード線を設けず、遮断器ケース内部で中性線Ｎに接続した例もあったが、これでは２次側の欠相保護ができないし、近年では２次側結線が導電バーによる結線が多くなったため、欠相検出リード線が必ず設けられるようになった。しかしながら、近年においても従来のように２次側端子が電線結線される場合があり、この場合、欠相検出リード線３１の取り扱いとしては図５〜図７に示すように３つの方法があった。尚、図５〜図７において、２１は単３中性線欠相保護付き遮断器、２６，２７，２８は２次側端子、３１は欠相検出リード線、Ｌ１，Ｌ２は電圧線、Ｎは中性線である。１つ目の方法は欠相検出リード線３１を中性線Ｎに接続しない方法（図５）であり、２つ目の方法は欠相検出リード線３１の先端に設けられた圧着端子３５をペンチ等で潰し、この圧着端子３５を中性極の２次側端子２７に端子ねじ３０によって電線と一緒に締め付け固定する方法（図６）であり、３つ目の方法は欠相検出リード線３１の先端に設けられた圧着端子３５を２次側端子２７の端子ねじ３０に合うように別の圧着端子３５ａに交換し、電線と一緒に締め付け固定する方法（図７）であった。
【０００３】
【発明が解決しようとする課題】
しかしながら、１つ目の方法は欠相検出リード線の先端を絶縁しない場合、欠相検出リード線にも電圧が印加されているために感電等の危険性があり、また、２つ目と３つ目の方法は欠相検出リード線を加工しなければならないため、手間がかかるし、電線と二重締め付けになるため、端子ねじが緩む危険性が高くなり、定期的な端子ねじの増し締め作業の回数を多くしなければならないという問題があった。
【０００４】
そこで上記問題点に鑑み、本発明の目的は、２次側端子が電線結線される場合に欠相検出リード線を加工したり、電線と二重締め付けすることなく接続することができる単３中性線欠相保護付き遮断器を提供することである。
【０００５】
【課題を解決するための手段】
上記目的を達成するために、請求項１に記載の発明によれば、単相３線式電路の中性線欠相を検出して主回路を遮断する単３中性線欠相保護付き遮断器において、中性極の２次側端子の端子板の先端を遮断器ケースの端面に沿って下方向に延設し、欠相検出リード線を接続するための接続端子を設けたことを特徴とする。
【０００６】
請求項２に記載の発明によれば、請求項１に記載の単３中性線欠相保護付き遮断器において、接続端子が遮断器ケースの端面から凹ませて形成したことを特徴とする。
【０００７】
請求項３に記載の発明によれば、請求項２に記載の単３中性線欠相保護付き遮断器において、接続端子の表面を遮断器ケースと一体に形成したカバーで被覆し、カバーを薄肉部によって遮断器ケースから切り離し可能にしたことを特徴とする。
【０００８】
【発明の実施の形態】
請求項１に記載の発明によれば、単相３線式電路の中性線欠相を検出して主回路を遮断する単３中性線欠相保護付き遮断器において、中性極の２次側端子の端子板の先端を遮断器ケースの端面に沿って下方向に延設し、欠相検出リード線を接続するための接続端子を設けたことにより、２次側端子が電線結線される場合に欠相検出リード線を加工したり、電線と二重締め付けすることなく接続することができる。
【０００９】
請求項２に記載の発明によれば、請求項１に記載の単３中性線欠相保護付き遮断器において、接続端子が遮断器ケースの端面から凹ませて形成したことにより、遮断器ケースの寸法を大きくすることがない。
【００１０】
請求項３に記載の発明によれば、請求項２に記載の単３中性線欠相保護付き遮断器において、接続端子の表面を遮断器ケースと一体に形成したカバーで被覆し、カバーを薄肉部によって遮断器ケースから切り離し可能にしたことにより、未使用時の絶縁保護をするとともに外観が向上する。
【００１１】
【実施例】
本発明に係る単３中性線欠相保護付き遮断器の第１実施例を図１及び図２の添付図面に基づいて説明する。
【００１２】
単相３線式電路の中性線Ｎの欠相を検出して主回路を遮断する単３中性線欠相保護付き遮断器１は、遮断器ケース２の長手方向の一方端に１次側端子３，４，５が設けられ、他方端に２次側端子６，７，８が設けられている。１次側端子３，４，５及び２次側端子６，７，８は端子板９に端子ねじ１０が螺合されて構成している。また、遮断器ケース２の右側面からは欠相検出リード線１１が延びている。
【００１３】
単相３線式電路は２本の電圧線Ｌ１，Ｌ２と１本の中性線Ｎとで成り、この中性線Ｎが接続される中性極の２次側端子７の端子板９は、先端が遮断器ケース２の端面に沿って下方に延設され、端部にねじ孔１２が穿設され、このねじ孔１２にねじ１３が螺合されて接続端子１４が設けられている。
【００１４】
単３中性線欠相付き遮断器１は２次側端子６，７，８が電線結線される場合、欠相検出リード線１１を中性極の二次側端子７と一体形成した接続端子１４にねじ１３によって螺着する。接続端子１４のねじ１３は欠相検出リード線１１の先端に設けられた圧着端子１５のサイズに合わせているため、欠相検出リード線１１を加工することなく接続することができる。また、接続端子１４は２次側端子７の下方に位置しているため、２次側端子７に接続される電線と欠相検出リード線１１が干渉しないし、接続端子１４は遮断器ケース２の端面から僅かに突出して設けられているため、接続端子１４に螺着したねじ１３の先端が遮断器ケース２に干渉することがなく確実に締め付け固定することができる。
【００１５】
本発明に係る単３中性線欠相保護付き遮断器の第２実施例を図３の添付図面に基づいて説明する。尚、第１実施例と同一部分には同一符号を付して説明を省略する。
【００１６】
単３中性線欠相付き遮断器１は接続端子１４が遮断器ケース２の端面から凹まされて形成されている。
【００１７】
これによって遮断器ケース２の縦寸法が大きくならないし、絶縁性も向上する。
【００１８】
本発明に係る単３中性線欠相保護付き遮断器の第３実施例を図４の添付図面に基づいて説明する。尚、第１実施例及び第２実施例と同一部分には同一符号を付して説明を省略する。
【００１９】
単３中性線欠相付き遮断器１は第２実施例と同様に接続端子１４が遮断器ケース２の端面から凹まされて形成されている。
【００２０】
また、接続端子１４の表面は遮断器ケース２と一体に形成されたカバー１６で被覆されている。
【００２１】
遮断器ケース２とカバー１６との間は薄肉部１７が形成され、接続端子１４を使用する場合は薄肉部１７で簡単にカバー１６を遮断器ケース２から切り離すことができる。カバー１６を切り離した後は第２実施例と同様に使用する。
【００２２】
【発明の効果】
以上説明したように請求項１に記載の発明によれば、単相３線式電路の中性線欠相を検出して主回路を遮断する単３中性線欠相保護付き遮断器において、中性極の２次側端子の端子板の先端を遮断器ケースの端面に沿って下方向に延設し、欠相検出リード線を接続するための接続端子を設けたことにより、２次側端子が電線結線される場合に欠相検出リード線を加工する必要がなく接続することができ、手間がかからなくなるなるし、電線と二重締め付けすることなく接続することができ、ねじが緩む危険性が低くなる。また、欠相検出リード線の未接続による感電の危険性がなくなるという効果がある。
【００２３】
請求項２に記載の発明によれば、請求項１に記載の単３中性線欠相保護付き遮断器において、接続端子が遮断器ケースの端面から凹ませて形成したことにより、遮断器ケースの寸法を大きくすることがないという効果がある。
【００２４】
請求項３に記載の発明によれば、請求項２に記載の単３中性線欠相保護付き遮断器において、接続端子の表面を遮断器ケースと一体に形成したカバーで被覆し、カバーを薄肉部によって遮断器ケースから切り離し可能にしたことにより、単純な構造で安価に製作することができ、また、未使用時の絶縁保護をするとともに外観が向上するという効果がある。
【図面の簡単な説明】
【図１】本発明に係る単３中性線欠相付き遮断器を示す斜視図である。
【図２】本発明に係る単３中性線欠相付き遮断器に電線と欠相検出リード線を接続した状態を示す斜視図である。
【図３】本発明の第２実施例に係る単３中性線欠相付き遮断器を示す斜視図である。
【図４】本発明の第３実施例に係る単３中性線欠相付き遮断器を示す斜視図と要部拡大図である。
【図５】従来の単３中性線欠相付き遮断器の欠相検出リード線を接続しない例を示す斜視図である。
【図６】従来の単３中性線欠相付き遮断器の欠相検出リード線の圧着端子を潰して接続する例を示す斜視図である。
【図７】従来の単３中性線欠相付き遮断器の欠相検出リード線の圧着端子を交換して接続する例を示す斜視図である。
【符号の説明】
１…単３中性線欠相保護付き遮断器
７…中性極の二次側端子
１１…欠相検出リード線
１２…ねじ孔
１３…ねじ
１４…接続端子
【図１】
2004071197.tif 000003
【図２】
2004071197.tif 000004
【図３】
2004071197.tif 000005
【図４】
2004071197.tif 000006
【図５】
2004071197.tif 000007
【図６】
2004071197.tif 000008
【図７】
2004071197.tif 000009